(57)【特許請求の範囲】
【請求項１】
それぞれバイアス電流が供給される利得領域，位相調整領域及び分布反射器領域を有する分布反射形半導体レーザにおいて、
前記分布反射器領域に微小変調電流を供給し、この微小変調電流を供給した際に、前記分布反射形半導体レーザの光出力の強度の微分信号、もしくは、前記利得領域の電圧の微分信号が最小となるように、前記分布反射器領域に供給するバイアス電流の電流値を制御して、前記分布反射形半導体レーザの発振波長に前記分布反射器領域のブラッグ波長を一致させるとともに、
前記分布反射形半導体レーザの光出力の波長が予め設定した基準波長に一致するように前記位相調整領域に供給するバイアス電流の電流値を制御し、
更に、前記分布反射器領域に前記微小変調電流を供給したために光出力に生じた波長変動を相殺するように、前記微小変調電流とは振幅の正負が逆で、かつ振幅が適切に調整された相殺用微小変調電流を前記位相調整領域に供給することを特徴とする分布反射形半導体レーザの周波数安定方法。
【請求項２】
それぞれバイアス電流が供給される利得領域，位相調整領域及び分布反射器領域を有する分布反射形半導体レーザにおいて、
前記分布反射器領域に微小変調電流を供給し、この微小変調電流を供給した際に、前記分布反射形半導体レーザの光出力の強度の微分信号、もしくは、前記利得領域の電圧の微分信号が最小となるように、前記分布反射器領域に供給するバイアス電流の電流値を制御して、前記分布反射形半導体レーザの発振波長に前記分布反射器領域のブラッグ波長を一致させるとともに、
前記分布反射形半導体レーザの光出力の波長が予め設定した基準波長に一致するように前記位相調整領域に供給するバイアス電流の電流値を制御し、
前記分布反射形半導体レーザの光出力の強度が一定になるように前記利得領域に供給するバイアス電流の電流値を制御し、
更に、前記分布反射器領域に前記微小変調電流を供給したために光出力に生じた波長変動を相殺するように、前記微小変調電流とは振幅の正負が逆で、かつ振幅が適切に調整された相殺用微小変調電流を前記位相調整領域に供給することを特徴とする分布反射形半導体レーザの周波数安定方法。
【請求項３】
利得領域，位相調整領域，前側分布反射器領域及び後側分布反射器領域を有する４電極分布反射形半導体レーザと、
前記利得領域，位相調整領域，前側分布反射器領域及び後側分布反射器領域にそれぞれバイアス電流を供給するバイアス電流源と、
前記前側分布反射器領域及び後側分布反射器領域に微小変調電流を供給する微小変調電流供給手段と、
前記前側分布反射器領域及び後側分布反射器領域に微小変調電流を供給した際に、前記４電極分布反射形半導体レーザの光出力の強度の微分信号、もしくは、前記利得領域の電圧の微分信号が最小となるように、前記前側分布反射器領域及び後側分布反射器領域に供給するバイアス電流の電流値を制御して、前記４電極分布反射形半導体レーザの発振波長に前記前側分布反射器領域及び後側分布反射器領域のブラッグ波長を一致させるモード制御手段と、
前記４電極分布反射形半導体レーザの光出力の波長が予め設定した基準波長に一致するように前記位相調整領域に供給するバイアス電流の電流値を制御する周波数制御手段と、
前記４電極分布反射形半導体レーザの光出力の強度が一定になるように前記利得領域に供給するバイアス電流の電流値を制御するパワー制御手段と、
前記前側分布反射器領域及び後側分布反射器領域に前記微小変調電流を供給したために光出力に生じた波長変動を相殺するように、前記前側分布反射器領域に印加した前記微小変調電流と前記後側分布反射器領域に印加した前記微小変調電流とにそれぞれ適切な重み係数を掛けた後に足し合わせてできる合成波形とは振幅の正負が逆で、かつ振幅が適切に調整された相殺用微小変調電流を前記位相調整領域に供給する相殺用微小電流供給手段と、を有することを特徴とする周波数安定化光源。
【請求項４】
利得領域，位相調整領域及び分布反射器領域を有する３電極分布反射形半導体レーザと、
前記利得領域，位相調整領域及び分布反射器領域にそれぞれバイアス電流を供給するバイアス電流源と、
前記分布反射器領域に微小変調電流を供給する微小変調電流供給手段と、
前記分布反射器領域に微小変調電流を供給した際に、前記３電極分布反射形半導体レーザの光出力の強度の微分信号、もしくは、前記利得領域の電圧の微分信号が最小となるように、前記分布反射器領域に供給するバイアス電流の電流値を制御して、前記３電極分布反射形半導体レーザの発振波長に前記分布反射器領域のブラッグ波長を一致させるモード制御手段と、
前記３電極分布反射形半導体レーザの光出力の波長が予め設定した基準波長に一致するように前記位相調整領域に供給するバイアス電流の電流値を制御する周波数制御手段と、
前記３電極分布反射形半導体レーザの光出力の強度が一定になるように前記利得領域に供給するバイアス電流の電流値を制御するパワー制御手段と、
前記分布反射器領域に前記微小変調電流を供給したために光出力に生じた波長変動を相殺するように、前記微小変調電流とは振幅の正負が逆で、かつ振幅が適切に調整された相殺用微小変調電流を前記位相調整領域に供給する相殺用微小電流供給手段と、を有することを特徴とする周波数安定化光源。
【発明の詳細な説明】
【０００１】
【発明の属する技術分野】
本発明は、波長可変半導体レーザの光出力の波長（光周波数）を一定値に固定するとともに、発振モードを安定化したレーザ光を得る、分布反射形半導体レーザの周波数安定化方法および周波数安定化光源に関する。本発明による周波数安定化光源は、波長多重光通信における光源として使用される。
【０００２】
【従来の技術】
現在、通信情報量の増大に対応すべく、光周波数（波長）多重通信システムの開発・研究が盛んである。送信用光源としては半導体レーザが主であり、周波数多重のためには単一モード発振特性の半導体レーザが必要となる。発振周波数を大きく変えることのできる光源を用いると、波長多重通信網の任意の波長チャネルにアクセスすることができるので、波長多重網の再配置を行うなどの、高機能な波長多重通信網を構築することが可能となる。ただし、波長多重通信に用いる光源としては、光周波数が一定値に固定されると共に、長期にわたり安定していることが重要である。
【０００３】
分布帰還型（ＤＦＢ）半導体レーザは、優れた単一モード発振特性を示すことから、現在の長距離系光通信システム用光源の主流であり、また将来の光周波数（波長）多重通信システム用光源としても期待されているが、発振周波数を大きく変えることができない。一方、分布反射形（ＤＢＲ）半導体レーザは、分布反射器領域に電流を注入することにより、ＤＦＢレーザに比べて波長を大きく変化させることが可能である。とりわけ、周期的位相変調が施された回折格子が前後の分布反射器に形成された４電極構造の超周期構造回折格子（ＳＳＧ：Ｓｕｐｅｒ  Ｓｔｒｕｃｔｕｒｅ  Ｇｒａｔｉｎｇ  ）ＤＢＲレーザは３０〜６０ｎｍの波長可変範囲を持つ単一モード半導体レーザであるので、波長多重用光源として有望視されている。
【０００４】
ＤＦＢ型、ＤＢＲ型に限らず、半導体レーザの発振周波数は、温度により大きく変化するので、そのための温度制御は必要であるが、温度制御が適切に行われていても、長期的な使用のもとでは、活性領域の劣化等の素子特性の変動により発振周波数も変動するので、さらに何らかの周波数（波長）安定化のための制御回路が必要となる。また、ＤＢＲレーザの場合には、発振モードが異なるモードに切り替わる、いわゆるモード跳びが生じる可能性があるので、発振モードをあるモードに固定する制御も必要となる。
【０００５】
４電極ＳＳＧ−ＤＢＲレーザを用いた周波数安定化光源は、文献（石井他、ＩＥＥＥ  Ｊｏｕｒｎａｌ  ｏｆ  Ｌｉｇｈｔｗａｖｅ  Ｔｅｃｈｎｏｌｏｇｙ，  ｖｏｌ．１６，ｐｐ．４３３−４４２，  １９９８）に既に報告例がある。その構成図を図４に示す。同図に示すようにＳＳＧ−ＤＢＲレーザ１は、前側分布反射器（ＳＳＧ−ＤＢＲ）領域２、後側分布反射器（ＳＳＧ−ＤＢＲ）領域３、位相調整領域４、利得領域５を有し、それぞれの領域２，３，４，５には電極２ａ，３ａ，４ａ，５ａが備えられている。これらの電極２ａ，３ａ，４ａ，５ａには、それぞれ別のバイアス電流源１８，１９，２０，２１が接続され、各領域２，３，４，５にバイアス電流が供給されている。そして各バイアス電流のバイアス電流値によって、およその発振波長が定められる。
【０００６】
ＳＳＧ−ＤＢＲレーザ１からの光出力Ｐは光ファイバ６により取り出され、その一部はファイバカプラ７，８により分岐されて、フォトディテクタ１５と波長モニタ１１に入射される。
【０００７】
このため、光出力Ｐの一部は交差弁別型の周波数基準フィルタを用いた波長（光周波数）モニタ１１に入射され、基準周波数とレーザ光の周波数のずれ量が検出される。制御部１４ｃは、このずれ量をもとにして、位相調整領域４に流すバイアス電流にフィードバック制御することで、発振周波数がフィルタの基準周波数に安定化される。
【０００８】
一方、モードの安定化は、前側分布反射器領域２及び後側分布反射器領域３に流す電流を微小に変化させたときの光出力Ｐの微小変化を検出することで行っている。これは、モードと前後のＤＢＲ反射器のブラッグ波長が全て等しい波長になったときに、光出力特性が極点となることに基づいている。
【０００９】
つまり、前側のＤＢＲ反射器のブラッグ波長が縦モード波長からずれた場合、前側ＤＢＲ反射器の反射率が減少し、前側からの光出力Ｐが増加することから、前側ＤＢＲのブラッグ波長ずれに対しては安定点で光出力Ｐが極小になる。
一方、後側のＤＢＲ反射器のブラッグ波長が縦モード波長からずれた場合、後側ＤＢＲ反射器の反射率が減少し、前側からの光出力Ｐが減少することから、後側ＤＢＲのブラッグ波長ずれに対しては安定点で光出力Ｐが極大になる。
【００１０】
以上の特性に基づけば、各ＤＢＲ電流の変化に対する微分信号を得れば、それらが各ＤＢＲ反射器のブラッグ波長とモード波長とのずれ量に比例した信号となる。
【００１１】
そこで、図４の例では、前側分布反射器（ＤＢＲ）領域２に微小変調電流１６を加えて、光出力Ｐの一部をフォトディテクタ１５で電気信号に変換した後、位相同期検波回路９ａにて位相同期検波して光出力Ｐの強度の微分信号を求め、前側ＤＢＲの波長ずれ量に比例した信号を検出し、制御部１４ａにより、ＤＢＲレーザ１の発振波長に前側分布反射器（ＤＢＲ）領域２のブラッグ波長が一致するように、前側ＤＢＲ領域２に流す電流にフィードバック制御を行っている。
【００１２】
同様に、後側ＤＢＲ領域３に微小変調電流１７を加えて、光出力Ｐの一部をフォトディテクタ１５で電気信号に変換した後、位相同期検波回路９ｂにて位相同期検波して光出力Ｐの強度の微分信号を求め、後側ＤＢＲの波長ずれ量に比例した信号を検出し、制御部１４ｂにより、ＤＢＲレーザ１の発振波長に後側分布反射器（ＤＢＲ）領域３のブラッグ波長が一致するように、後側分布反射器（ＤＢＲ）領域３に流す電流にフィードバック制御を行っている。
【００１３】
なお、微小変調電流１６と微小変調電流１７の繰り返し周波数は異なる周波数にするか、同じ周波数で位相が９０度異なるものにすることにより、それぞれの信号を互いに独立に検出できるようにしている。また微小変調信号１６，１７の大きさ（電流値）は、バイアス電流の電流値の１％程度にしている。
【００１４】
また、光出力Ｐの一部をフォトディテクタ１５及び光出力モニタ１０を用いてモニタし、制御部１４ｄにより、光出力Ｐのパワーが一定になるように利得領域５に流す電流値を制御している。
【００１５】
この安定化回路には、モードを安定化するフィードバック制御ループＡ、およびＢと、周波数（波長）を安定化するフィードバック制御ループＣと、光出力パワーを安定化するフィードバック制御ループループＤがあるが、それぞれの制御が他の制御に悪影響を与えないように、フィードバック制御のループ時定数が適切に設定されている。
【００１６】
以上のように、図４に示した構成により、周波数（波長）、モード、及び光出力パワーが一定値に固定された周波数安定化光源が実現される。
【００１７】
なお、この例では光出力Ｐの変動を検出して、各ブラッグ波長のずれ量を検出する方法を用いているが、利得領域５の電圧をモニタして各ブラッグ波長のずれ量を検出する方法もある。この場合は、安定点からブラッグ波長がずれると、反射器の反射率が低下することで発振しきい値キャリア密度が増加し、その結果、利得領域５の電圧が増加することに基づいている。すなわち、各ＤＢＲ反射器領域２，３のずれに対して利得領域５の電圧が安定点で極小となる。安定化回路の構成としては、図４において、利得領域５の電圧を直接同期検波するような回路にする点を除けば、同様の構成で、周波数（波長）、モード、及び光出力パワーの安定化された光源が実現される。
【００１８】
【発明が解決しようとする課題】
しかしながら上記従来技術においては、周波数（波長）、及びモードの安定化が行われ、時間平均光周波数（波長）はある一定周波数に固定されるものの、前側ＤＢＲ領域２、及び後側ＤＢＲ領域３に加えた微小変調電流１６，１７によって、出力光Ｐの周波数にも微小な変調成分が混ざってしまうという問題があった。
【００１９】
光ファイバを用いた長距離光伝送を行う場合に、光源の周波数に変動があると、光ファイバの群速度分散により、光信号波形が劣化してしまうという問題がある。もちろん、周波数変動の周波数を信号の使用周波数帯域外にするなどして、周波数変動の影響がないように安定化光源側の参照信号の変調周波数を適切に選んだり、受信回路を工夫したり、分散の少ないファイバを用いる等、この問題を避ける手段はいろいろある。しかし、周波数変動が全くない光源を用いたほうが、システム設計を容易にし、応用上の制約がなくなるので好ましいといえる。
【００２０】
本発明の目的は、上記従来例における問題を解決し、長期的な素子特性の変動に対しても発振周波数が常に安定で、かつ、周波数変動のない、３電極分布反射形（ＤＢＲ）レーザ、あるいは４電極分布反射形（ＤＢＲ）レーザを用いた光源を得ることのできる、分布反射形半導体レーザの周波数安定方法および周波数安定化光源を提供するものである。
【００２１】
【課題を解決するための手段】
上述の目的を達成する本発明の分布反射形半導体レーザの周波数安定方法は、それぞれバイアス電流が供給される利得領域，位相調整領域及び分布反射器領域を有する分布反射形半導体レーザにおいて、
前記分布反射器領域に微小変調電流を供給し、この微小変調電流を供給した際に、前記分布反射形半導体レーザの光出力の強度の微分信号、もしくは、前記利得領域の電圧の微分信号が最小となるように、前記分布反射器領域に供給するバイアス電流の電流値を制御して、前記分布反射形半導体レーザの発振波長に前記分布反射器領域のブラッグ波長を一致させるとともに、
前記分布反射形半導体レーザの光出力の波長が予め設定した基準波長に一致するように前記位相調整領域に供給するバイアス電流の電流値を制御し、
更に、前記分布反射器領域に前記微小変調電流を供給したために光出力に生じた波長変動を相殺するように、前記微小変調電流とは振幅の正負が逆で、かつ振幅が適切に調整された相殺用微小変調電流を前記位相調整領域に供給することを特徴とする。
【００２２】
また本発明の分布反射形半導体レーザの周波数安定方法は、それぞれバイアス電流が供給される利得領域，位相調整領域及び分布反射器領域を有する分布反射形半導体レーザにおいて、
前記分布反射器領域に微小変調電流を供給し、この微小変調電流を供給した際に、前記分布反射形半導体レーザの光出力の強度の微分信号、もしくは、前記利得領域の電圧の微分信号が最小となるように、前記分布反射器領域に供給するバイアス電流の電流値を制御して、前記分布反射形半導体レーザの発振波長に前記分布反射器領域のブラッグ波長を一致させるとともに、
前記分布反射形半導体レーザの光出力の波長が予め設定した基準波長に一致するように前記位相調整領域に供給するバイアス電流の電流値を制御し、
前記分布反射形半導体レーザの光出力の強度が一定になるように前記利得領域に供給するバイアス電流の電流値を制御し、
更に、前記分布反射器領域に前記微小変調電流を供給したために光出力に生じた波長変動を相殺するように、前記微小変調電流とは振幅の正負が逆で、かつ振幅が適切に調整された相殺用微小変調電流を前記位相調整領域に供給することを特徴とする。
【００２３】
また本発明の周波数安定化光源は、利得領域，位相調整領域，前側分布反射器領域及び後側分布反射器領域を有する４電極分布反射形半導体レーザと、
前記利得領域，位相調整領域，前側分布反射器領域及び後側分布反射器領域にそれぞれバイアス電流を供給するバイアス電流源と、
前記前側分布反射器領域及び後側分布反射器領域に微小変調電流を供給する微小変調電流供給手段と、
前記前側分布反射器領域及び後側分布反射器領域に微小変調電流を供給した際に、前記４電極分布反射形半導体レーザの光出力の強度の微分信号、もしくは、前記利得領域の電圧の微分信号が最小となるように、前記前側分布反射器領域及び後側分布反射器領域に供給するバイアス電流の電流値を制御して、前記４電極分布反射形半導体レーザの発振波長に前記前側分布反射器領域及び後側分布反射器領域のブラッグ波長を一致させるモード制御手段と、
前記４電極分布反射形半導体レーザの光出力の波長が予め設定した基準波長に一致するように前記位相調整領域に供給するバイアス電流の電流値を制御する周波数制御手段と、
前記４電極分布反射形半導体レーザの光出力の強度が一定になるように前記利得領域に供給するバイアス電流の電流値を制御するパワー制御手段と、
前記前側分布反射器領域及び後側分布反射器領域に前記微小変調電流を供給したために光出力に生じた波長変動を相殺するように、前記前側分布反射器領域に印加した前記微小変調電流と前記後側分布反射器領域に印加した前記微小変調電流とにそれぞれ適切な重み係数を掛けた後に足し合わせてできる合成波形とは振幅の正負が逆で、かつ振幅が適切に調整された相殺用微小変調電流を前記位相調整領域に供給する相殺用微小電流供給手段と、を有することを特徴とする。
【００２４】
また本発明の周波数安定化光源は、利得領域，位相調整領域及び分布反射器領域を有する３電極分布反射形半導体レーザと、
前記利得領域，位相調整領域及び分布反射器領域にそれぞれバイアス電流を供給するバイアス電流源と、
前記分布反射器領域に微小変調電流を供給する微小変調電流供給手段と、
前記分布反射器領域に微小変調電流を供給した際に、前記３電極分布反射形半導体レーザの光出力の強度の微分信号、もしくは、前記利得領域の電圧の微分信号が最小となるように、前記分布反射器領域に供給するバイアス電流の電流値を制御して、前記３電極分布反射形半導体レーザの発振波長に前記分布反射器領域のブラッグ波長を一致させるモード制御手段と、
前記３電極分布反射形半導体レーザの光出力の波長が予め設定した基準波長に一致するように前記位相調整領域に供給するバイアス電流の電流値を制御する周波数制御手段と、
前記３電極分布反射形半導体レーザの光出力の強度が一定になるように前記利得領域に供給するバイアス電流の電流値を制御するパワー制御手段と、
前記分布反射器領域に前記微小変調電流を供給したために光出力に生じた波長変動を相殺するように、前記微小変調電流とは振幅の正負が逆で、かつ振幅が適切に調整された相殺用微小変調電流を前記位相調整領域に供給する相殺用微小電流供給手段と、を有することを特徴とする。
【００２５】
【作用】
本発明においては、分布反射器（ＤＢＲ）領域に微小変調電流を印加し、光出力あるいは利得領域の電圧を同期検波して、光信号の微分信号あるいは利得領域の電圧の微分信号を求めることで、ＤＢＲ反射器の反射ピーク波長と縦モード波長とのずれ量を検出し、常に反射ピーク波長と縦モードとが一致するように制御する点は、図４に示した従来例と同じである。大きく異なる点は、分布反射器（ＤＢＲ）領域に印加した微小変調電流によって光出力に生じる周波数変動を相殺するように、位相調整領域に流す電流にも相殺用微小変調電流を加えている点である。
【００２６】
周波数ｆで発振している４電極ＤＢＲレーザにおいて、前側ＤＢＲ領域に流れる電流Ｉｆ  、後側ＤＢＲ領域に流れる電流Ｉｒ  、位相調整領域に流れる電流Ｉｐ  がそれぞれ、δＩｆ  ，δＩｒ  ，δＩｐ  だけ微小に変化したときの周波数変化δｆは、
δｆ＝ａｆδＩｆ  ＋ａｒδＩｒ  ＋ａｐδＩｐ                    …（１）
と表される。ここで、ａｆ  ，ａｒ  ，ａｐ  は定数である。
【００２７】
δＩｆ  ，δＩｒ  だけ前側ＤＢＲおよび後側ＤＢＲ領域に微小変調を加えたとき、
δＩｐ  ＝−（ａｆδＩｆ  ＋ａｒδＩｒ  ）／ａｐ        …（２）
を満たすように、位相調整領域に流す電流を変化させれば、周波数変化δｆが０となる。
【００２８】
例えば、前側ＤＢＲ領域および後側ＤＢＲ領域への微小変調電流として
δＩｆ  ＝ｂｆ  ｃｏｓ（ωｔ）                            …（３）
δＩｒ  ＝ｂｒ  ｓｉｎ（ωｔ）                            …（４）
を選んだ場合、位相調整領域への相殺用微小変調電流を、次式（５）とすれば、周波数変動が相殺される。
【００２９】
【数１】
0003632838.tif 000002
【００３０】
ところで、利得領域の安定点からの電圧変化δＶは、各波長制御領域における安定点からの電流ずれ量ΔＩｆ  ，ΔＩｒ  ，ΔＩｐ  を用いて、
ΔＶ＝ｃｆ（ΔＩｆ）２  ＋ｃｒ（ΔＩｒ）２  ＋ｃｐ（ΔＩｐ）２    …（６）
と近似される。ここで、ｃｆ  ，ｃｒ  ，ｃｐ  はすべて正の定数である。なお、前側からの光出力の場合は、ｃｆ  が正、ｃｒ  が負、ｃｐ  は素子構造に依存するので不定、といったように、定数の符号が異なるだけで、同じ近似式を用いて表すことができる。
【００３１】
さて、ここで、前後のＤＢＲ電流が安定点からΔＩｆ０，ΔＩｒ０だけずれていて、各波長調整領域に微小変調電流δＩｆ  ，δＩｒ  ，δＩｐ  を印加した場合、
ΔＩｆ  ＝ΔＩｆ０＋δＩｆ                          …（７−１）
ΔＩｒ  ＝ΔＩｒ０＋δＩｒ                          …（７−２）
ΔＩｐ  ＝δＩｐ                                            …（７−３）
と書ける。
【００３２】
式（６）に式（７−１），（７−２），（７−３），（３），（４），（５）を代入して整理すると、
（ｃｏｓ（ωｔ）成分）＝２ΔＩｆ０ｂｆｃｆ  ｃｏｓ（ωｔ）          …（８）
（ｓｉｎ（ωｔ）成分）＝２ΔＩｒ０ｂｒｃｒ  ｓｉｎ（ωｔ）          …（９）
となるので、ｃｏｓ（ωｔ）で位相同期検波すれば前側ＤＢＲ領域の電流ずれ量ΔＩｆ０に比例した信号が得られ、ｓｉｎ（ωｔ）で位相同期検波すれば後側ＤＢＲ領域の電流ずれ量ΔＩｒ０に比例した信号が得られる。このように、周波数変動を相殺するための位相調整領域への信号δＩｐ  を付加しても、問題なく前後ＤＢＲのブラッグ波長のモードからのずれ量を検出できることがわかる。
【００３３】
上記の議論は４電極ＤＢＲレーザを仮定したものであるが、３電極ＤＢＲレーザの場合には、例えば、前側ＤＢＲ領域がないものとして、添え字ｆのついた定数を０とすればよい。この場合も、４電極ＤＢＲレーザと同様に、周波数変動を相殺するための位相調整領域への信号δＩｐ  を付加しても、ＤＢＲのブラッグ波長のモードからのずれ量を検出できることはあきらかである。
【００３４】
【発明の実施の形態】
ここで、図１を参照して本発明の実施の形態を説明する。なお図１において図４と同一部分には同符号を付す。４電極からなるＳＳＧ−ＤＢＲレーザ１の前側分布反射器（ＤＢＲ）領域２、後側分布反射器領域３、位相調整領域４、及び利得領域５には、電極２ａ，３ａ，４ａ，５ａを介してそれぞれバイアス電流源１８，１９，２０，２１がつながれ、バイアス電流が注入される。
【００３５】
微小変調電流発振器１２で発生されるｃｏｓ（ωｔ）に比例する微小変調電流は前側ＤＢＲ領域２に加えられ、移相器１３ｂを通して位相が９０度遅れたｓｉｎ（ωｔ）に比例する微小変調電流が後側ＤＢＲ領域３に加えられる。これらの微小変調電流を基準にして、利得領域５の端子電圧を、位相同期検波回路９にて位相同期検波し、端子電圧（利得領域の電圧）の微分信号を求めることにより、前側ＤＢＲ反射ピーク波長と縦モード波長とのずれ量、及び後側ＤＢＲ反射ピーク波長と縦モード波長とのずれ量が検出される。そして利得領域の電圧の微分信号が最少となるように、即ち、ＤＢＲレーザ１の縦モード波長に、前側ＤＢＲ反射ピーク波長（ブラッグ波長）及び後側ＤＢＲ反射ピーク波長（ブラッグ波長）が一致するように、制御部１４ａ，１４ｂにてフィードバック信号が生成され、前側ＤＢＲ領域２及び後側ＤＢＲ領域３に供給されるバイアス電流の電流値が調整される。
【００３６】
位相調整領域４には、式（５）を満たす相殺用微小変調電流が加えられ、微小変調電流による光出力Ｐの周波数変動が抑制される。この例では、ａｒ  ｂｒ  ＝ａｆ  ｂｆ  より、微小変調電流発振器１２で発生した信号を移相器１３ｃで位相を約１３５度進めた信号を適切に利得調整した信号を、相殺用微小変調電流として位相調整領域４に加えている。なお、微小変調電流及び相殺用微小変調電流の大きさ（電流値）は、バイアス電流の電流値の１％程度にしている。
【００３７】
ＳＳＧ−ＤＢＲレーザ１からの光出力Ｐは光ファイバ６により取り出されるが、その一部はファイバカプラ７，８により分けられて光出力モニタ１０と波長モニタ１１に導かれる。光出力パワーは、制御部１４ｄにより、ある一定値になるように利得領域５への電流にフィードバックされ、光周波数（波長）は基準波長に固定するように、制御部１４ｃにより、位相調整領域４への電流にフィードバックされる。
【００３８】
なお、図示はしていないが、レーザの温度はペルチェ素子を用いて一定になるように制御している。
また図１の例では、利得領域５の電圧の微分信号が最小になるように、分布反射器領域２，３に供給するバイアス電流の電流値をフィードバック制御しているが、図４に示す従来技術と同様に、光出力の強度の微分信号が最小になるように、分布反射器領域２，３に供給するバイアス電流の電流値をフィードバック制御するようにしてもよい。
更に、微小変調電流としては、正弦波電流（余弦波電流）のみならず、矩形波電流等を採用することもできる。
【００３９】
図２は、本発明の効果をみるために、出力光Ｐの光周波数の変動を従来例による方法と本発明による方法とで比較測定したものである。マッハ・ツェンダ・フィルタを用いた光周波数弁別器を通過させた出力光を、フォト・ディテクタで電気信号に変換し、オシロスコープで観察することにより、光周波数の測定を行った。従来の方法では、微小変調電流の繰り返し周期１０マイクロ秒に応じて、１ＧＨｚ  程度の周波数変動が観察されるのに対して、本発明による方法では、周波数変動が観察されず、発明による効果が現れていることがわかる。
【００４０】
［他の実施の形態］
上述した図１に示す実施の形態は、４電極ＤＢＲレーザの場合であるが、３電極ＤＢＲレーザの場合にも、同様の回路構成で本発明が実施できることは明らかである。図３は３電極ＤＢＲレーザ１Ａを用いた例である。この場合、ＤＢＲ領域３に加えたｃｏｓ（ωｔ）  に比例する微小変調電流に対して、移相器１３により位相を１８０度進ませた相殺用微小変調電流を位相調整領域４に加えれば、周波数（変動）が抑えられると共に、ＤＢＲ領域３に加えた信号と同相の成分を同期検波すれば、ブラッグ波長とモードとのずれが検出されることになる。なお他の部分の構成は、図１に示すものと同様である。
【００４１】
なお、上述した実施の形態では、微小変調電流発振器からの信号をアナログ回路を通してＤＢＲレーザに加えて、同期検波もアナログ回路により処理しているが、これらの処理を全てデジタル処理により行う方法においても本発明が適用可能であることはいうまでもない。
【００４２】
【発明の効果】
以上説明したように本発明では、分布反射器（ＤＢＲ）領域に微小変調電流を印加してＤＢＲ反射器の反射ピークと縦モード波長とのずれ量を検出して常に反射ピークと縦モードとが一致するように制御するのに加えて、ＤＢＲ領域に印加した微小変調電流によって光出力に生じる周波数変動を相殺するように、位相調整領域に流す電流に相殺用微小変調電流を加えるようにしている。このため、光出力に周波数変動がなく、長期にわたって周波数（波長）と発振モードの安定したレーザ出力光を得ることができる。
【図面の簡単な説明】
【図１】本発明の実施の形態を示す構成図。
【図２】従来の方法による安定化光源の光周波数変動（ａ）と本実施例による安定化光源の光周波数変動（ｂ）を示す特性図。
【図３】本発明の他の実施の形態を示す構成図。
【図４】従来例を示す構成図。
【符号の説明】
１，１Ａ  分布反射形半導体レーザ
２  前側分布反射器（ＤＢＲ）領域
３  前側分布反射器（ＤＢＲ）領域
４  位相調整領域
５  利得領域
６  光ファイバ
７，８  ファイバカプラ
９  位相同期検波回路
１０  光出力モニタ
１１  波長（光周波数）モニタ回路
１２  微小変調電流発振器
１３，１３ｂ，１３ｃ  移相器
１４ａ，１４ｂ，１４ｃ，１４ｄ  制御部
１５  フォト・ディテクタ
１６，１７  微小変調電流
１８  前側分布反射器領域へのバイアス電流源
１９  前側分布反射器領域へのバイアス電流源
２０  位相調整領域へのバイアス電流源
２１  利得領域へのバイアス電流源
【図１】
0003632838.tif 000003
【図２】
0003632838.tif 000004
【図３】
0003632838.tif 000005
【図４】
0003632838.tif 000006